(57)【特許請求の範囲】
【請求項１】
インデックス用紙に印刷が可能な画像形成装置であって、
前記画像形成装置は、
インデックスラベル設定画面を表示させる表示手段と、
前記インデックスラベル設定画面を介してインデックスラベル情報を設定させるインデックスラベル情報設定手段と、
前記インデックスラベル情報設定手段により設定された前記インデックスラベル情報に基づくインデックスラベルの第１プレビューを前記インデックスラベル設定画面に表示させるインデックスラベルプレビュー表示手段と、
原稿にＡ４サイズまたはレターサイズを含む定型サイズ部分に印刷するテキストとインデックスラベル部分に印刷するテキストとが設定され、前記原稿の前記定型サイズ部分に印刷するテキストと前記インデックスラベル部分に印刷するテキストとを有する原稿の画像エリアを帯状模様で表した第２プレビューを、前記インデックスラベル設定画面に表示させるシフトイメージ表示手段と、
前記原稿の画像エリアを移動させる幅であるシフトサイズを設定させるシフトサイズ設定手段と、
前記シフトサイズの幅だけ前記原稿の画像エリアを移動させる画像エリアシフト手段と、を備え、
前記画像エリアシフト手段は、前記インデックス用紙に前記インデックスラベルが設けられている位置の側に前記原稿の画像エリアを移動させて、前記第２プレビューの前記帯状模様をシフトさせる
ことを特徴とする画像形成装置。
【請求項２】
前記インデックスラベル設定画面には、前記第２プレビューを表示するか否かを設定する設定エリアが設けられていることを特徴とする請求項１に記載の画像形成装置。
【発明の詳細な説明】
【技術分野】
【０００１】
本発明は、インデックスラベルが設けられている用紙（以下、「インデックス用紙」という）の印刷を行う画像形成装置に関する。
【背景技術】
【０００２】
最近の技術によれば、プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、インデックス用紙に印刷ができる機能を備えている。インデックス用紙とは、Ａ４サイズまたはレターサイズなどの定型サイズの用紙に、インデックスラベルが設けられている用紙である。このようにインデックスラベルが定型サイズの範囲外にあり、また大きさや位置が異なる。このため、ユーザーがインデックス用紙に印刷を行うときには、定型サイズ部分とインデックスラベル部分に印刷するテキストなどを設定した原稿により印刷要求を行っている。このときに、ユーザーが、原稿の載置位置を誤って印刷要求を行うと、定型サイズの用紙及びインデックスラベルに画像が思った通りに印刷できない。この対策として、インデックス用紙のサイズやインデックスラベルの位置、またインデックスラベルに印刷するテキストなどの情報を画面から設定することができる画像形成装置が提供されている。例えば、特許文献１の印刷制御装置では、画面からタブ紙（インデックス用紙）やタブ（インデックスラベル）の情報の設定と、タブに印刷するテキストの見出しなどの情報を入力し、タブ紙や見出し情報が印刷されたタブのイメージ（以下、「プレビュー」という）を画面に表示することで、ユーザーが実際にタブ紙の印刷を行う前にタブ紙やタブの印刷イメージを確認することができる。
【先行技術文献】
【特許文献】
【０００３】
【特許文献１】特開２００８−２１００３号公報
【発明の概要】
【発明が解決しようとする課題】
【０００４】
しかし、特許文献１の印刷制御装置では、タブ紙やタブの情報を設定する画面からタブ紙やタブの情報の設定と、タブに印刷するテキストの見出しなどの情報を入力するための項目と、タブ紙やタブのプレビューを表示する画面が設けられているので、タブに印刷するテキストの見出しなどの情報はタブのプレビューで確認することができるが、原稿に定型サイズとインデックスラベルに印刷するテキストなどが設定され、原稿のテキストをインデックスラベルに印刷する場合にはこの画面を使用することができない。
【０００５】
本発明はこのような状況に鑑みてなされたものであり、上記課題を解決できる画像形成装置を提供することを目的とする。
【課題を解決するための手段】
【０００６】
本発明の画像形成装置は、インデックス用紙に印刷が可能な画像形成装置であって、前記画像形成装置は、インデックスラベル設定画面を表示させる表示手段と、前記インデックスラベル設定画面を介してインデックスラベル情報を設定させるインデックスラベル情報設定手段と、前記インデックスラベル情報設定手段により設定された前記インデックスラベル情報に基づくインデックスラベルの第１プレビューを前記インデックスラベル設定画面に表示させるインデックスラベルプレビュー表示手段と、原稿にＡ４サイズまたはレターサイズを含む定型サイズ部分に印刷するテキストとインデックスラベル部分に印刷するテキストとが設定され、前記原稿の前記定型サイズ部分に印刷するテキストと前記インデックスラベル部分に印刷するテキストとを有する原稿の画像エリアを帯状模様で表した第２プレビューを、前記インデックスラベル設定画面に表示させるシフトイメージ表示手段と、前記原稿の画像エリアを移動させる幅であるシフトサイズを設定させるシフトサイズ設定手段と、前記シフトサイズの幅だけ前記原稿の画像エリアを移動させる画像エリアシフト手段と、を備え、前記画像エリアシフト手段は、前記インデックス用紙に前記インデックスラベルが設けられている位置の側に前記原稿の画像エリアを移動させて、前記第２プレビューの前記帯状模様をシフトさせることを特徴としている。
また、本発明の画像形成装置は、前記インデックスラベル設定画面には、前記第２プレビューを表示するか否かを設定する設定エリアが設けられていることを特徴としている。
【発明の効果】
【０００７】
本発明は、原稿に定型サイズとインデックスラベルに印刷するテキストなどが設定されている場合においても、インデックス用紙やインデックスラベルの情報を設定する画面からインデックスラベルの印字範囲のプレビューを表示することで、ユーザーが容易にインデックス用紙の定型サイズ部分とインデックスラベル部分の印刷を行うことができる画像形成装置を提供する。
【図面の簡単な説明】
【０００８】
【図１】本発明の実施形態に係る画像形成装置の外観斜視図である。
【図２】本発明の実施形態に係る画像形成装置の内部構成を示す断面概略図である。
【図３】本発明の実施形態に係る画像形成装置の機能構成を示すブロック図である。
【図４】本発明の実施形態に係るインデックス用紙設定画面の例を示す図である。
【図５】本発明の実施形態に係るインデックスラベル設定画面の例を示す図である。
【図６】本発明の実施形態に係るシフトイメージが表示されたインデックスラベル設定画面の例を示す図である。
【発明を実施するための形態】
【０００９】
以下、本発明を実施するための形態（以下、「実施形態」という）を、図面を参照して説明する。実施形態の画像形成装置１は、プリンター、多機能プリンター、多機能周辺装置、又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１１】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１２】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１３】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１４】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１５】
本体部４は、記録部６を備えると共に、給紙部４１と、給紙ローラー４２と、用紙搬送路４３と、レジストローラー４４と、排出ローラー４５とを備えている。給紙部４１は、複数枚の用紙Ｐが収納される給紙カセットであり、給紙ローラー４２は、給紙部４１から用紙Ｐを１枚ずつ用紙搬送路４３に繰り出す。給紙ローラー４２によって用紙搬送路４３に繰り出された用紙Ｐは、レジストローラー４４によって記録部６に搬送される。レジストローラー４４は、給紙カセットから供給される用紙Ｐの先端と原稿から読み取った画像の先端を合わせるように用紙Ｐを搬送する。そして、記録部６によって記録が施された用紙Ｐは、排出ローラー４５によって、原稿読取部２と本体部４との間に形成された排出空間４６に排出される。このように、給紙ローラー４２、レジストローラー４４及び排出ローラー４５は、用紙Ｐの搬送部として機能する。
【００１６】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を用紙Ｐに転写させる。定着部６６は、転写部６５によってトナー像が転写された用紙Ｐを加熱してトナー像を用紙Ｐに定着させる。そして感光体ドラム６１上に残存するトナーは、クリーニング部６７によって除去される。
【００１７】
図３には、画像形成装置１の機能構成を示すブロック図が示されている。上述の原稿読取部２、原稿給送部３、搬送部（給紙ローラー４２、レジストローラー４４、排出ローラー４５）、操作部５、記録部６、記憶部８及び通信部９は、制御部７に接続され、制御部７によって動作制御される。制御部７は、印刷実行処理部７１を備えている。
【００１８】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。印刷実行処理部７１は、制御部７からの指令により印刷動作を実行する。
【００１９】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
【００２０】
通信部９は、ＬＡＮ等のネットワーク１０を介して、ＰＣ（パーソナルコンピュータ）等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２１】
次に、図４に示すインデックス用紙設定画面８０、図５に示すインデックスラベル設定画面９０、及び図６に示すインデックスラベル設定画面９０について説明する。図４に示すインデックス用紙設定画面８０は、インデックス用紙情報を設定する画面である。図５に示すインデックスラベル設定画面９０は、インデックスラベル情報を設定する画面である。図６に示すインデックスラベル設定画面９０は、インデックスラベルのプレビューにインデックスラベルにおけるシフトイメージの例が表示されている画面である。インデックス用紙の印刷を行うときにユーザーが液晶表示部５１のタッチパネルを操作してインデックス用紙設定画面８０、インデックスラベル設定画面９０を表示して設定を行う。
【００２２】
図４に示すインデックス用紙設定画面８０は、「インデックスラベル数」８１、「プリントサイズ」８２、「インデックスラベル間隔」８３、「インデックスラベルサイズ」８４の設定項目、「インデックス用紙プレビュー」８５、「インデックスラベルプレビュー」８６の表示エリア、「ＯＫ」ボタン８７、及び「キャンセル」ボタン８８を備えている。
【００２３】
「インデックスラベル数」８１は、連続印刷におけるインデックス用紙のインデックスラベル数を設定する設定欄である。なお、連続印刷でない印刷（以下、「単一印刷」という）のときには、「インデックスラベル数」８１に「１」が設定される。
【００２４】
「プリントサイズ」８２は、インデックスラベルを除いた部分の印刷用紙サイズ（以下、「印刷用紙サイズ」という）と、インデックスラベルが設けられている辺（長辺または短辺）を設定する設定欄である。例えば、印刷用紙サイズがＡ４で印刷用紙の長辺にインデックスラベルが設けられているときには、「Ａ４長辺」が設定される。
【００２５】
「インデックスラベル間隔」８３は、連続印刷または単一印刷のインデックス用紙において異なる位置に設けられているインデックスラベルを設定する設定欄であり、「先端から最初のインデックスラベルまでの間隔」８３ａ、「インデックスラベル間の間隔」８３ｂ、及び「終端から最後のインデックスラベルまでの間隔」８３ｃを設定する設定欄が設けられている。なお、単一印刷のときには、インデックスラベルが１つであるので「インデックスラベル間の間隔」８３ｂに「０」が設定される。
【００２６】
「インデックスラベルサイズ」８４は、インデックスラベルの大きさを設定する設定欄であり、定型サイズの印刷用紙から突出しているインデックスラベルの「高さ」８４ａを設定する設定欄が設けられている。なお、図４のインデックス用紙設定画面８０においては、インデックスラベルの幅は初期設定により４７．４ｍｍで固定されているが、この値についても設定の変更は可能である。
【００２７】
「インデックス用紙プレビュー」８５は、インデックス用紙のプレビューを表示する表示エリアである。「インデックスラベル数」８１、「プリントサイズ」８２、「インデックスラベル間隔」８３の「先端から最初のインデックスラベルまでの間隔」８３ａ、「インデックスラベル間の間隔」８３ｂ、及び「終端から最後のインデックスラベルまでの間隔」８３ｃ、「インデックスラベルサイズ」８４の「高さ」８４ａの設定値を変えることによって「インデックス用紙プレビュー」８５に表示されるインデックス用紙のプレビューが変化する。また、「インデックスラベル数」８１、「プリントサイズ」８２、及び「インデックスラベル間隔」８３に何も設定されていないときには、「インデックス用紙プレビュー」８５にインデックス用紙のプレビューは表示されない。
【００２８】
「インデックスラベルプレビュー」８６は、インデックスラベルのプレビューを表示する表示エリアである。「インデックスラベルサイズ」８４のインデックスラベルの「高さ」８４ａの設定値を変えることによって「インデックスラベルプレビュー」８６に表示されるインデックスラベルのプレビューが変化する。また、「インデックスラベルサイズ」８４に何も設定されていないときには、「インデックスラベルプレビュー」８６にインデックスラベルのプレビューは表示されない。なお、インデックスラベルの幅は初期設定により４７．４ｍｍで固定されているので、この初期設定の幅が用いられる。
【００２９】
「ＯＫ」ボタン８７は、設定欄の設定値を記憶部８に保存するときに押下するボタンである。「ＯＫ」ボタン８７を押下すると、インデックス用紙設定画面８０の設定値が記憶部８に保存される。
【００３０】
「キャンセル」ボタン８８は、インデックス用紙設定画面８０の設定値をキャンセルするときに押下するボタンである。「キャンセル」ボタン８８を押下すると、インデックス用紙設定画面８０に設定されている設定値が取り消され、前回の設定値に戻る。
【００３１】
図５に示すインデックスラベル設定画面９０は、「インデックスラベル現在設定値」９１の表示項目、「新規」ボタン９２、「削除」ボタン９３、「カスタマイズ設定」ボタン９４、「インデックスラベル設定」９５の設定項目、「インデックスラベルプレビュー」９６の表示エリア、「ＯＫ」ボタン９７、及び「キャンセル」ボタン９８を備えている。
【００３２】
「インデックスラベル現在設定値」９１は、記憶部８に保存されているインデックスラベルの現在設定されている設定値（以下、「現在設定値」という）が表示される表示エリアであり、「インデックス用紙間挿入ページ」９１ａ、「定型サイズエリア印刷」９１ｂ、「インデックスラベル位置」９１ｃ、「インデックスラベルテキスト」９１ｄ、及び「インデックスラベルディバイダー使用」９１ｅの現在設定値を一覧で表示する表示欄が設けられている。「インデックス用紙間挿入ページ」９１ａは、インデックス用紙とインデックス用紙の間に挿入されるページ数の現在設定値が表示される。「定型サイズエリア印刷」９１ｂは、インデックス用紙の定型サイズエリア部分における印刷有無の現在設定値が表示される。「インデックスラベル位置」９１ｃは、連続印刷におけるインデックス用紙のインデックスラベル数に対するインデックスラベルの位置の現在設定値が表示される。インデックスラベルの位置が自動で設定されたときには、「Ａ」が表示される。例えば、「インデックスラベル数」８１に「５」が設定され、自動設定された「インデックスラベル位置」９１ｃの「１」を示すときには、「１／５Ａ」と表示される。なお、「インデックスラベル位置」９１ｃの「１」は、「インデックスラベル数」８１の「５」に対する順番を示している。「インデックスラベルテキスト」９１ｄは、インデックスラベルに印刷されるインデックスラベルテキストの現在設定値が表示される。「インデックスラベルディバイダー使用」９１ｅは、インデックス用紙のプレビューにおいてインデックスラベルの表示有無が表示される。
【００３３】
「新規」ボタン９２は、「インデックスラベル現在設定値」９１の表示欄を新規に再表示するときにするときに押下するボタンである。「新規」ボタン９２を押下すると、記憶部８に保存されている「インデックスラベル設定」９５で設定した設定項目の現在設定値が表示される。
【００３４】
「削除」ボタン９３は、「インデックスラベル現在設定値」９１の表示欄に表示されている設定値を削除するときに押下するボタンである。「削除」ボタン９３を押下すると、「インデックスラベル現在設定値」９１の表示欄に表示されているインデックスラベルの現在設定値が記憶部８から削除される。
【００３５】
「カスタマイズ設定」ボタン９４は、インデックスラベルテキストの書式やレイアウトをユーザーがカスタマイズするときに押下するボタンである。「カスタマイズ設定」ボタン９４を押下すると、カスタマイズ設定画面が表示される。
【００３６】
「インデックスラベル設定」９５は、インデックスラベルの設定が行われる設定エリアであり、「インデックス用紙間挿入ページ」９５ａ、「定型サイズエリア印刷」９５ｂ、「インデックスラベル位置」９５ｃ、「インデックスラベルテキスト（最大３行）」９５ｄ、「インデックスラベルディバイダー使用」９５ｅ、「シフトイメージ」９５ｆ、及び「シフトサイズ」９５ｇを設定する設定欄が設けられている。
【００３７】
「インデックス用紙間挿入ページ」９５ａは、インデックス用紙とインデックス用紙の間に挿入されるページ数が設定される。「定型サイズエリア印刷」９５ｂは、インデックス用紙の定型サイズエリア部分における印刷有無が設定される。「インデックスラベル位置」９５ｃは、連続印刷におけるインデックス用紙のインデックスラベル数に対するインデックスラベルの位置が設定される。なお、ユーザーがインデックスラベルの全ての位置を設定するのでなく自動で設定するときには、例えば、「１／５Ａ」のように先頭のインデックスラベル位置「１／５」に「Ａ」を付加することで以降のインデックスラベル位置が設定される。「インデックスラベルテキスト（最大３行）」９５ｄは、インデックスラベルに印刷されるテキストが設定される。なお、「インデックスラベルテキスト（最大３行）」９５ｄには、最大３行の文字などのテキストを設定することができる。
【００３８】
「インデックスラベルディバイダー使用」９５ｅは、インデックス用紙のプレビューにおいてインデックスラベルの表示有無が設定される。「インデックスラベルディバイダー使用」９５ｅに「レ」が設定されると、インデックス用紙のプレビューである「インデックス用紙プレビュー」８５にインデックスラベルが表示され、「インデックスラベルディバイダー使用」９５ｅに「  」が設定されると、「インデックス用紙プレビュー」８５にインデックスラベルが表示されない。
【００３９】
「シフトイメージ」９５ｆは、原稿に定型サイズとインデックスラベルに印刷するテキストなどが設定されている場合に、インデックスラベルのプレビューにおいて原稿の画像エリアを帯状模様で表したシフトイメージの表示有無が設定される。「シフトサイズ」９５ｇは、「シフトイメージ」９５ｆに「レ」が設定されているときに原稿の画像エリアの右端を移動する幅を設定する。「シフトイメージ」９５ｆに「レ」が設定されると、「インデックスラベルプレビュー」９６に「シフトサイズ」９５ｇだけ原稿の画像エリアを右に移動したシフトイメージが表示される。この場合には、「インデックスラベルテキスト（最大３行）」９５ｄにテキストが設定されていても「インデックスラベルプレビュー」９６にはそのテキストは表示されない。「インデックスラベルプレビュー」９６に表示されるシフトイメージの例については、後述する。また、「シフトイメージ」９５ｆに「  」が設定されると、「インデックスラベルプレビュー」９６にはシフトイメージは表示されない。この場合には、「インデックスラベルテキスト（最大３行）」９５ｄにテキストが設定されているとインデックスラベルプレビュー」９６にはそのテキストが表示される。
【００４０】
「インデックスラベルプレビュー」９６は、インデックスラベルの画像を表示する表示エリアである。「インデックスラベルテキスト（最大３行）」９５ｄの設定値、または「シフトイメージ」９５ｆに「レ」が設定されているときに「シフトサイズ」９５ｇの設定値を変えることによって「インデックスラベルプレビュー」９６に表示されるプレビューが変化する。また、「インデックスラベルテキスト（最大３行）」９５ｄに何も設定されていないとき、または「シフトイメージ」９５ｆに「  」が設定されているときには、「インデックスラベルプレビュー」９６にインデックスラベルのプレビューは表示されない。
【００４１】
「ＯＫ」ボタン９７は、設定欄の設定値を記憶部８に保存するときに押下するボタンである。「ＯＫ」ボタン９７を押下すると、インデックスラベル設定画面９０の設定値が記憶部８に保存される。
【００４２】
「キャンセル」ボタン９８は、インデックスラベル設定画面９０の設定値をキャンセルするときに押下するボタンである。「キャンセル」ボタン９８を押下すると、インデックスラベル設定画面９０に設定されている設定値が取り消され、前回の設定値に戻る。
【００４３】
次に、インデックスラベル設定画面９０の「インデックスラベルプレビュー」９６に表示されるシフトイメージの例について、図６を用いて説明する。図６（１）の「インデックスラベルプレビュー」９６は、「シフトイメージ」９５ｆに「レ」が設定され、「シフトサイズ」９５ｇに「１０．０」ｍｍが設定されたときに表示される画像エリアのプレビューである。つまり、「インデックスラベルプレビュー」９６には、帯状模様の画像エリアの右端線９６ａが１０．０ｍｍ右に移動したときのインデックスラベルのプレビューが表示される。図６（２）の「インデックスラベルプレビュー」９６は、「シフトイメージ」９５ｆに「レ」が設定され、「シフトサイズ」９５ｇに「０」ｍｍが設定されたときに表示される画像エリアのプレビューである。つまり、「インデックスラベルプレビュー」９６には、帯状模様の画像エリアの右端線９６ａが移動しないときのインデックスラベルのプレビューが表示される。図６（３）の「インデックスラベルプレビュー」９６は、「シフトイメージ」９５ｆに「レ」が設定され、「シフトサイズ」９５ｇに「３０．０」ｍｍが設定されたときに表示される画像エリアのプレビューである。つまり、「インデックスラベルプレビュー」９６には、帯状模様の画像エリアの右端線９６ａが３０．０ｍｍ右に移動したときのインデックスラベルのプレビューが表示される。このように、ユーザーは「シフトイメージ」９５ｆに「レ」を設定し、「シフトサイズ」９５ｇの設定値を変更することで帯状模様の画像エリアの右端線９６ａを移動させる幅を調整してから印刷要求を行うことができる。
【００４４】
以上により、図５及び図６に示すように、インデックスラベル設定画面９０に「シフトイメージ」９５ｆ及び「シフトサイズ」９５ｇの設定欄を設けて設定を行うようにする。このようなインデックスラベル設定画面９０を用いることで、定型サイズ部分とインデックスラベル部分に印刷するテキストなどを設定した原稿により印刷要求を行う場合においても、ユーザーが「シフトイメージ」９５ｆに「レ」を設定するだけで「インデックスラベルプレビュー」９６に原稿の画像エリアを帯状模様で表したシフトイメージが表示できる。また、ユーザーが「シフトサイズ」９５ｇの設定値を変更することで帯状模様の画像エリアの右端線９６ａを容易に移動させることができる。このようにユーザーは、「シフトサイズ」９５ｇの幅だけ帯状模様の画像エリアの右端線９６ａを右に移動させたときのインデックスラベル部分を「インデックスラベルプレビュー」９６により確認し、またインデックス用紙については「インデックス用紙プレビュー」８５により印刷イメージを確認することができる。
【００４５】
なお、実施形態においては、「インデックスラベルプレビュー」９６に原稿の画像エリアを帯状模様で表したシフトイメージを表示するようにしたが、この帯状模様に限定されず、原稿の画像エリアをユーザーが認識できるのであればあらゆる模様や色などを用いて表示することが可能である。
【００４６】
また、実施形態においては、「インデックスラベルプレビュー」９６に「シフトサイズ」９５ｇだけ原稿の画像エリアを右に移動したインデックスラベルのシフトイメージの表示について説明したが、これはインデックスラベルがインデックス用紙の右側に設けられているときの例である。インデックスラベルがインデックス用紙の左側に設けられているときには、「インデックスラベルプレビュー」９６に「シフトサイズ」９５ｇだけ原稿の画像エリアを左に移動したシフトイメージを表示することも可能である。また、インデックスラベルがインデックス用紙の上側または下側に設けられているときには、「インデックスラベルプレビュー」９６に「シフトサイズ」９５ｇだけ原稿の画像エリアを上または下に移動したシフトイメージを表示することも可能である。このように、本発明は、インデックス用紙にインデックスラベルが設けられている位置の側に原稿の画像エリアを移動することができる。
【００４７】
また、実施形態においては、ユーザーが液晶表示部５１のタッチパネルを操作してインデックス用紙設定画面８０、またはインデックスラベル設定画面９０を表示して設定値を設定するようにしたが、これに限定されない。例えば、図３に示すＰＣなどの周辺機器１１に画像形成装置１のプリントドライバーを搭載し、ユーザーはプリントドライバーを用いて周辺機器１１の表示パネルにインデックス用紙設定画面８０、またはインデックスラベル設定画面９０を表示する。そして、ユーザーが「インデックスラベルプレビュー」９６を確認しながら「シフトサイズ」９５ｇを設定し、インデックス用紙の印刷要求を画像形成装置１に送信することも可能である。
【００４８】
また、インデックス用紙設定画面８０またはインデックスラベル設定画面９０の設定項目と表示項目は、これに限定されない。インデックス用紙の印刷が可能となるようにインデックス用紙またはインデックスラベルの情報が設定できれば他の設定項目と表示項目とすることも可能である。
【００４９】
このような本発明の画像形成装置は、原稿に定型サイズとインデックスラベルに印刷するテキストなどが設定されている場合においても、インデックス用紙やインデックスラベルの情報を設定する画面からインデックスラベルの印字範囲のプレビューを表示することで、ユーザーが容易にインデックス用紙の定型サイズ部分とインデックスラベル部分の印刷を行うことができる。
【００５０】
以上、具体的な実施の形態により本発明を説明したが、上記実施の形態は本発明の例示であり、この実施の形態に限定されないことは言うまでもない。
【産業上の利用可能性】
【００５１】
本発明は、画像形成装置に好適であるが、画像形成装置に限られるものではなく、インデックス用紙を排出または搬送する機器及び処理を備える装置一般に適用できる。
【符号の説明】
【００５２】
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４１・・・・・給紙部
４２・・・・・給紙ローラー
４３・・・・・用紙搬送路
４４・・・・・レジストローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・印刷実行処理部
８０・・・・・インデックス用紙設定画面
８１・・・・・設定項目「インデックスラベル数」
８２・・・・・設定項目「プリントサイズ」
８３・・・・・設定項目「インデックスラベル間隔」
８３ａ・・・・設定項目「先端から最初のインデックスラベルまでの間隔」
８３ｂ・・・・設定項目「インデックスラベル間の間隔」
８３ｃ・・・・設定項目「終端から最後のインデックスラベルまでの間隔」
８４・・・・・設定項目「インデックスラベルサイズ」
８４ａ・・・・設定項目「高さ」
８５・・・・・表示エリア「インデックス用紙プレビュー」
８６・・・・・表示エリア「インデックスラベルプレビュー」
８７・・・・・設定項目「ＯＫ」ボタン
８８・・・・・設定項目「キャンセル」ボタン
９０・・・・・インデックスラベル設定画面
９１・・・・・表示項目「インデックスラベル現在設定値」
９１ａ・・・・表示項目「インデックス用紙間挿入ページ」
９１ｂ・・・・表示項目「定型サイズエリア印刷」
９１ｃ・・・・表示項目「インデックスラベル位置」
９１ｄ・・・・表示項目「インデックスラベルテキスト」
９１ｅ・・・・表示項目「インデックスラベルディバイダー使用」
９２・・・・・設定項目「新規」ボタン
９３・・・・・設定項目「削除」ボタン
９４・・・・・設定項目「カスタマイズ設定」ボタン
９５・・・・・設定項目「インデックスラベル設定」
９５ａ・・・・設定項目「インデックス用紙間挿入ページ」
９５ｂ・・・・設定項目「定型サイズエリア印刷」
９５ｃ・・・・設定項目「インデックスラベル位置」
９５ｄ・・・・設定項目「インデックスラベルテキスト（最大３行）」
９５ｅ・・・・設定項目「インデックスラベルディバイダー使用」
９５ｆ・・・・設定項目「シフトイメージ」
９５ｇ・・・・設定項目「シフトサイズ」
９６・・・・・表示エリア「インデックスラベルプレビュー」
９６ａ・・・・帯状模様の画像エリアの右端線
９７・・・・・設定項目「ＯＫ」ボタン
９８・・・・・設定項目「キャンセル」ボタン
【図１】
0005932752.tif 000002
【図２】
0005932752.tif 000003
【図３】
0005932752.tif 000004
【図４】
0005932752.tif 000005
【図５】
0005932752.tif 000006
【図６】
0005932752.tif 000007